(57)【要約】【課題】照射光の漏れを二重に防止して、安全性の向上した光照射機器を提供する。【解決手段】本発明の光照射機器は、把持して使用する本体１の一端に、光源８と、光源８の光を放出する開口を端部に有し且つ光源８の周囲を覆う遮光筒９と、上記端部の位置した開口を有し且つ遮光筒９の周囲を覆う外側遮光筒１２と、を備えている。そして、上記遮光筒９の端部及び外側遮光筒１２の端部を皮膚３０に当接して光源８の光を皮膚３０の上記遮光筒９の端部に囲まれた部位に照射した。これにより、皮膚３０に光照射を行った際に、遮光筒９と皮膚３０の隙間から照射光が漏れても外側遮光筒１２により遮られるため、外側遮光筒１２より外部に照射光が漏れることを防止することができて、光漏れに対する安全性を向上することができる。【選択図】図１
2011067456.tif 000002
【特許請求の範囲】
【請求項１】
把持して使用する本体に、光源と、光源の光を放出する開口を端部に有し且つ光源の周囲を覆う遮光筒と、上記遮光筒の端部が位置した開口を有し且つ遮光筒の周囲を覆う外側遮光筒と、を備え、上記遮光筒の端部及び外側遮光筒の端部を皮膚に当接して光源の光を皮膚の上記遮光筒の端部に囲まれた部位に照射するものであることを特徴とする光照射機器。
【請求項２】
前記皮膚を吸引する吸引部を備えたものであることを特徴とする請求項１に記載の光照射機器。
【請求項３】
前記吸引部が前記遮光筒の外周面と前記外側遮光筒の内周面に囲まれた空間を負圧にして皮膚を吸引するものであることを特徴とする請求項２に記載の光照射機器。
【請求項４】
前記吸引部は前記遮光筒の外周面と前記外側遮光筒の内周面に囲まれた空間及び遮光筒の内周面に囲まれた空間を負圧にして皮膚を吸引するものであることを特徴とする請求項２または請求項３に記載の光照射機器。
【請求項５】
前記吸引部により負圧された空間の圧力を測定する気圧センサと、該センサの測定結果が一定値に達すると光源の発光を許可する制御回路と、を備えたものであることを特徴とする請求項３または請求項４に記載の光照射機器。
【請求項６】
前記光源の発光後、吸引部が吸引を停止するものであることを特徴とする請求項２〜５のいずれか一項に記載の光照射機器。
【請求項７】
前記遮光筒の端部及び前記外側遮光筒の端部と皮膚の接触を検知する接触センサと、該センサが上記端部と皮膚の接触を検知すると光源の発光を許可する制御回路と、を備えたものであることを特徴とする請求項１〜６のいずれか一項に記載の光照射機器。
【請求項８】
前記遮光筒が内周に集光レンズを備えており、上記集光レンズにより光源の光を集光させて皮膚に照射するものであることを特徴とする請求項１〜７のいずれか一項に記載の光照射機器。
【請求項９】
前記遮光筒の内周面に囲まれた空間内の光を検知する光センサと、該センサが光を検知すると光源の発光を規制する制御回路と、を備えたものであることを特徴する請求項１〜８のいずれか一項に記載の光照射機器。
【請求項１０】
前記遮光筒と前記外側遮光筒の少なくとも一方を本体に対してフロート自在としたことを特徴とする請求項１〜９のいずれか一項に記載の光照射機器。
【発明の詳細な説明】
【技術分野】
【０００１】
本発明は、光照射機器、殊に生体の皮膚に光を照射して、毛髪の成長調整や肌ケアを行う光照射機器に関するものである。
【背景技術】
【０００２】
従来から、フラッシュライトやレーザー等の光源を備え、光源から発した光を照射口を介して生体の皮膚に照射して、毛髪の成長調整や、シミやニキビ等の除去や、真皮中のコラーゲン、エラスチンの産生の亢進等の肌ケアを行う光照射機器がある。そして、上記光源の発した光が眼に入射されると、網膜の損傷等を生じるため、特許文献１のように照射口の外周を遮光筒で覆うことで、照射口の外周に広がる向きで進む照射光が遮光筒に吸収遮断されて、遮光筒より外周側に透過されることを防止したものがある。
【０００３】
また、特許文献２のように接触センサにより照射口と肌（皮膚）との当接を確保するものがある。詳しくは、照射口を形成する部位に接触センサを複数設けて、上記部位を確実に肌に当接させることで全ての接触センサが皮膚を検知するものであり、各接触センサが皮膚との接触を検知した照射口を皮膚に直交させた状態でのみ光照射可能としたものである。つまり、接触センサにより光照射時の光照射機器の姿勢を矯正すると共に、悪戯等による皮膚以外への誤射を防止したものである。
【先行技術文献】
【特許文献】
【０００４】
【特許文献１】特開２００８−２８９８１０号公報
【特許文献２】特開２００５−２７８７２４号公報
【発明の概要】
【発明が解決しようとする課題】
【０００５】
しかし、従来の光照射機器では、皮膚の凹凸等により遮光筒や照射口を形成する部位と皮膚の間に微細な隙間を生じることがあり、皮膚表面で一部の照射光が反射拡散して上記隙間から外部へ漏れてしまい、遮光性が充分ではないという問題がある。特に、肌ケアに用いる光はフラッシュライトの閃光等の光量が非常に大きい光であるため、上記微細な隙間から漏れた光であっても眼等に損傷を与えてしまい、光漏れに対する安全性の向上が求められている。
【０００６】
そこで、本発明は上記問題に鑑みて発明したものであり、遮光筒を二重にして遮光性を向上させて、光漏れに対する安全性がより高い光照射機器を提供することを課題とした。
【課題を解決するための手段】
【０００７】
上記課題を解決するために、本発明の光照射機器は以下の構成を特徴としている。請求項１に係る発明は、把持して使用する本体１に、光源８と、光源８の光を放出する開口を端部に有し且つ光源８の周囲を覆う遮光筒９と、上記遮光筒９の端部が位置した開口を有し且つ遮光筒９の周囲を覆う外側遮光筒１２と、を備えたものである。そして、上記遮光筒９の端部及び外側遮光筒１２の端部を皮膚３０に当接して光源８の光を皮膚３０の上記遮光筒９の端部に囲まれた部位に照射するものである。
【０００８】
このような構成としたことで、光源８の発した照射光を二重に遮るため、皮膚３０の凹凸等により遮光筒９と皮膚３０の間に微細な隙間を生じて、該隙間から照射光が漏れても外側遮光筒１２により遮断されて、外側遮光筒１２より外部に漏れることを防止することができる。
【０００９】
また、請求項２に係る発明は、前記皮膚３０を吸引する吸引部１５を備えたものであることを特徴としている。
【００１０】
また、請求項３に係る発明は、前記吸引部１５が前記遮光筒９の外周面と前記外側遮光筒１２の内周面に囲まれた空間２６を負圧にして皮膚３０を吸引するものであることを特徴としている。
【００１１】
また、請求項４に係る発明は、前記吸引部１５は前記遮光筒９の外周面と前記外側遮光筒１２の内周面に囲まれた空間２６及び遮光筒９の内周面に囲まれた空間２７を負圧にして皮膚３０を吸引するものであることを特徴としている。
【００１２】
また、請求項５に係る発明は、前記吸引部１５により負圧された空間の圧力を測定する気圧センサと、該センサの測定結果が一定値に達すると光源８の発光を許可する制御回路３と、を備えたものであることを特徴としている。
【００１３】
また、請求項６に係る発明は、前記光源８の発光後、吸引部１５が吸引を停止するものであることを特徴としている。
【００１４】
また、請求項７に係る発明は、前記遮光筒９の端部及び前記外側遮光筒１２の端部と皮膚３０の接触を検知する接触センサ１４と、該センサが上記端部と皮膚３０の接触を検知すると光源８の発光を許可する制御回路３と、を備えたものであることを特徴としている。
【００１５】
また、請求項８に係る発明は、前記遮光筒９が内周に集光レンズ１８を備えており、上記集光レンズ１８により光源８の光を集光させて皮膚３０に照射するものであることを特徴としている。
【００１６】
また、請求項９に係る発明は、前記遮光筒９の内周面に囲まれた空間２７内の光を検知する光センサと、該センサが光を検知すると光源８の発光を規制する制御回路３と、を備えたものであることを特徴としている。
【００１７】
また、請求項１０に係る発明は、前記遮光筒９と前記外側遮光筒１２の少なくとも一方を本体１に対してフロート自在としたことを特徴としている。
【発明の効果】
【００１８】
上記のように、本発明の光照射機器は、光源の外周を遮光筒及び外側遮光筒で覆うと共に、遮光筒及び外側遮光筒が夫々皮膚に当接したことで、光源の発した光を二重に遮ることができる。そのため、発光時の閃光の透過を防止すると共に、遮光筒と皮膚の間から漏れた照射光も遮ることができて、外側遮光筒より外部に照射光が漏れることを防止できて、光照射時の光漏れに対する安全性を向上したものとなっている。
【００１９】
また、吸引部を備えたことで、皮膚が吸引部の吸引により引っ張られるため、皮膚の張りが増して、遮光筒を皮膚に弾性的に接触して、遮光筒の皮膚に対する密着性を向上することができる。特に、遮光筒と外側遮光筒の間の皮膚を吸引したことで、遮光筒の外周に位置する皮膚が盛り上がり遮光筒の側周を覆うため、盛り上がった皮膚により遮光筒と皮膚の間の隙間を塞ぐことができて、より密着性及び遮光性を向上することができる。更に、気圧センサを備え、吸引部による負圧が一定値に達した際にのみ光照射可能としたことで、吸引部による皮膚の吸引を確保して光照射を行えて、光照射の安全性をより向上することができる。
【００２０】
また、遮光筒と外側遮光筒の夫々の端部に接触センサを設け、上記端部が皮膚に接触した状態でのみ光照射可能としたことで、遮光筒及び外側遮光筒と皮膚の接触を確保して光照射を行えて、光照射の安全性をより向上することができる。
【００２１】
また、遮光筒の内周に集光レンズを配置したことで、遮光筒に当たらないよう照射光の向きを調節できて、遮光筒から照射光が漏れることをより防止して、光漏れに対する安全性をより向上することができる。
【００２２】
また、遮光筒の内側の光を検知する光センサを設けたことで、皮膚当接時に光の有無から遮光筒と皮膚の隙間の有無を検知し、隙間を有する際の光照射を規制したことで、遮光筒と皮膚の間に隙間の無い状態で光照射を行えて、光漏れに対する安全性をより向上することができる。
【００２３】
また、遮光筒と外側遮光筒の少なくとも一方をフロート自在としたことで、フロートされた遮光筒あるいは外側遮光筒が皮膚に弾性接触して、皮膚に対する密着性を向上することができる。
【図面の簡単な説明】
【００２４】
【図１】本発明の光照射機器の（ａ）正面図、（ｂ）断面図である。
【図２】同上の変形例の照射部周辺の断面図である。
【図３】他例の照射部周辺の断面図である。
【図４】同上の変形例の照射部周辺の断面図である。
【図５】更に他例の（ａ）断面図、（ｂ）皮膚当接時の断面図である。
【発明を実施するための形態】
【００２５】
以下、図面に基づいて本発明の実施形態について説明する。
【００２６】
本発明の光照射機器は、図１に示すように、把持して使用する本体１と、本体１の一端に設けられた照射部７と、からなり、上記照射部７を皮膚３０に当接し、皮膚３０の当接した部位に照射部７からの光を照射するものである。
【００２７】
詳しくは、本体１が円筒形状であり、筒の内周側に、蓄電池等の電源２と、光照射を制御する制御回路３と、を備えると共に、外周面に、電源スイッチ４と、照射部７に光照射させる照射信号を制御回路３に出力する照射スイッチ５と、を備えている。そして、本体１の円筒の中心軸の軸方向の一方の端部６に照射部７が設けられている。なお、電源２、制御回路３、照射部７や、後述の各種センサ等の間を電気的に接続するリード線やコネクタ等の導電部材は従来技術により適宜設計変更可能なものであるため、図面では省略している。
【００２８】
上記照射部７は、上記端部６の円の略中央に配置された光源８と、光源８の外周を覆う遮光筒９と、本体１の外周面と略一体で遮光筒９の外周を覆う略円筒形状の外側遮光筒１２と、遮光筒９と外側遮光筒１２の間の空気を吸引する吸引部１５と、を備えている。
【００２９】
上記遮光筒９は本体１の端部６に底部１０の固定された有底の円筒形状であり、上記底部１０の略中央に光源８が取り付けられている。つまり、遮光筒９の内側で光源８が発光するものであり、光源８の発した光は遮光筒９の周面により遮られて底部１０の反対側に位置する開口からのみ外部に放出されている。そのため、遮光筒９の上記開口を形成する先端部が光照射時に押圧方向Ｐに押し付けて皮膚３０に当接させる当接部１１となっており、光源８の発した照射光は遮光筒９より内周側に位置した皮膚３０に照射されるものである。
【００３０】
そして、外側遮光筒１２は本体１の外周面を軸方向に延長して形成された本体１の外装と一体のものであり、外側遮光筒１２の先端部は遮光筒９の当接部１１と略同じ突出高さで本体１の端部６から伸びている。つまり、外側遮光筒１２の先端部が遮光筒９の当接部１１と軸に直交する同一平面上に並ぶものとなっており、外側遮光筒１２の先端部も光照射時に押圧方向Ｐに押し付けて皮膚３０に当接させる当接部１３となっている。
【００３１】
更に、遮光筒９の当接部１１と外側遮光筒１２の当接部１３には夫々接触センサ１４が設けられており、該センサにより当接部１１，１３と皮膚３０の接触が検知されている。例えば、接触センサ１４は皮膚３０に接することで容量の変化する電極であり、該センサは各当接部１１，１３に夫々複数設けられており、全ての接触センサ１４が皮膚３０との接触を検知することで制御回路３に皮膚検知信号を出力するものである。もちろん、接触センサ１４は当接部１１，１３の圧力変化から皮膚３０との接触を検知するものであってもよく、当接部１１，１３と皮膚３０の当接を検知可能なものであればよい。
【００３２】
また、吸引部１５は遮光筒９の外周と外側遮光筒１２の内周の間に配置されており、上記接触センサ１４による皮膚３０検知時に駆動されるものである。そして、遮光筒９の外周面と外側遮光筒１２の内周面に囲まれた空間２６内の空気を吸引し上記空間２６の外部に放出して、上記空間２６を負圧にするものである。つまり、吸引部１５は照射部７を皮膚３０に当接した際に上記空間２６を負圧にして、遮光筒９の当接部１１と外側遮光筒１２の当接部１３の間に位置する皮膚３０を上記空間２６に引き込み、当接部１１，１３と皮膚３０の密着性を向上させるものである。
【００３３】
そして、上記吸引部１５による上記空間２６内の圧力変化を該空間２６に設けた気圧センサ（特に図示しない）が測定しており、上記気圧センサは吸引部１５の吸引開始と共に測定を開始し測定気圧が一定値に達すると制御回路３に圧力検知信号を出力するものである。そのため、制御回路３は前記照射スイッチ５から照射信号が入力されても、上記接触センサ１４からの皮膚検知信号及び気圧センサからの圧力検知信号が入力されていないと、光源８を発光させないものとなっている。このとき、ブザー等の報知部（特に図示しない）により光照射を行えない旨を外部に報知することが好ましい。
【００３４】
つまり、制御回路３は各センサからの上記電気信号が全て入力されることで、当接部１１，１３と皮膚３０の密着が確保されて光照射の準備が完了したと判断するものであり、上記準備完了と判断された時にのみ光照射が行われるものである。なお、吸引部１５は光照射後に吸引を停止するものであり、光照射後、皮膚３０の他の位置に当接部１１，１３を移動させる際に、吸引部１５による吸引が上記移動を阻害することを防止している。
【００３５】
このように、光源８の外周を遮光筒９及び外側遮光筒１２で覆うと共に、遮光筒９及び外側遮光筒１２が夫々皮膚３０に当接したことで、光源８の発した光を二重に遮ることができる。そのため、発光時の閃光の透過を防止すると共に、遮光筒９と皮膚３０の間から漏れた照射光も遮ることができて、外側遮光筒１２より外部に照射光が漏れることを防止できて、光照射時の光漏れに対する安全性を向上したものとなっている。特に、光源８の発した光が皮膚３０の凹凸により遮光筒９の当接部１１と皮膚３０の間に生じる微細な隙間から漏れても外側遮光筒１２により遮断されるため、外側遮光筒１２より外部に光源８からの光が漏れることがないものとなっている。
【００３６】
また、上記吸引部１５により外側遮光筒１２と遮光筒９の間の空間２６を負圧にしたことで、上記間に位置した皮膚３０が吸引部１５により本体１側に引き込まれて、皮膚３０の当接部１１，１３に当接した部位より盛り上がる。そのため、吸引部１５に吸引されて盛り上がった皮膚３０が遮光筒９の当接部１１と皮膚３０の間の隙間を側方から覆うと共に、遮光筒９の当接部１１の外周と皮膚３０が密着して、遮光筒９からの光漏れをより防止できて、光照射時の光漏れに対する安全性を向上している。
【００３７】
そして、皮膚３０が遮光筒９と外側遮光筒１２の間の空間２６に吸引部１５により引き込まれたことで、遮光筒９の内側に位置した皮膚３０の光が照射される部位も外周側へ引っ張られるため、該部位が張り毛穴等が開かれて、光照射による肌ケア効果をより向上して得ることができる。更に、接触センサ１４及び気圧センサにより光照射前に当接部１１，１３と皮膚３０の密着を確保できるため、光漏れの有無を光照射前に判断できて、安全性がより向上している。
【００３８】
なお、実施例では遮光筒９と外側遮光筒１２の間の寸法が数ミリから１ｃｍ以内となっているが、上記数値は例示にすぎず、吸引部１５で遮光筒９と外側遮光筒１２の間の空間２６を容易に負圧にできて、皮膚３０を該空間２６内に引き込み密着性を向上できる寸法であれば適宜設計変更してもよい。そして、光源８はハロゲンランプあるいはキセノン管等の光量の大きいものであり、遮光筒９の底部１０に反射板を設けて底部１０側に照射された光源８からの光を上記反射板で当接部１１側に反射してもよい。更に、吸引部１５はポンプやファン等が好ましく、吸引した空気を放出する上記空間２６の外部とは外側遮光筒１２の外周外方や本体１内部、あるいは本体１の端部６の反対側である他方の端部外方等である。もちろん、本体１の外周面を延長した部位を遮光筒９とし外側遮光筒１２が本体１より大径で本体１の外周に底部１９を有した有底の筒形状としてもよい。
【００３９】
また、変形例として、図２に示すように、遮光筒９の内周に光センサとして光量センサ１６を配置して、光量センサ１６により遮光筒９の内周側の空間２７の光量を検知させて、光照射前に当接部１１と皮膚３０の間に隙間が無いかを検知させたものもある。
【００４０】
上記光量センサ１６は遮光筒９の内周側の空間２７内の光量を測定することで、該空間２７内の光を検知すると共に、光検知時には光検知信号を制御回路３に出力するものである。そして、上記光量センサ１６が光を検知する状態とは当接部１１と皮膚３０の間に隙間を有し該隙間から光が上記内周側の空間２７内に入っている状態であり、光量センサ１６が光を検知しない状態とは当接部１１が皮膚３０に密着して照射光が漏れることが無い状態である。更に、上記制御回路３は光検知信号が入力された状態で照射スイッチ５から照射信号が出力されると、光源８を発光させずに報知部により当接部１１の皮膚３０への当接が不十分であるない旨を音等で報知させるものである。
【００４１】
つまり、遮光筒９の当接部１１と皮膚３０の間に隙間があると外部の光が遮光筒９の内部に入射されることを利用したものであり、光センサは外部からの光漏れを検知することで、当接部１１と皮膚３０の間の隙間の有無を検知するものである。そのため、光照射前に光漏れの有無を検知できて、光照射時の光漏れを確実に防止しており、光漏れに対する安全性が高いものとなっている。詳しくは、上記光が検知されない状態でのみ光照射が行われるため、皮膚３０の凹凸や当接部１１の皮膚３０への押し付けが不十分である等で当接部１１の一部と皮膚３０の間に隙間を有した状態で光照射が行われることを防止している。
【００４２】
なお、当接部１１が皮膚３０に当接すると、検知される光量が低下するため、光量センサ１６に光量の値や変動を含んだ光検知信号を制御回路３に出力させて、光量低下時に吸引部１５を駆動させることで、接触センサ１４を排除して機器の構成を簡素にしてもよい。もちろん、光センサは光量センサ１６に限らず遮光筒９内への外光の侵入を検知できるものであればよく、ましてや外側遮光筒１２の内周面と遮光筒９の外周面に囲まれた空間２６内の光を検知してもよい。
【００４３】
また、他例として、図３に示すように、遮光筒９の周面の一部に内側から外側に貫通した空気抜き孔１７を備え、吸引部１５により上記空気抜き孔１７を介して遮光筒９の内側の空間２７も負圧にして、遮光筒９の当接部１１と皮膚３０の密着性を向上させたものがある。
【００４４】
上記空気抜き孔１７は遮光筒９の吸引部１５の近傍の周面に外周から内周に貫通しており、該孔を介して遮光筒９の内周面に囲まれた空間２７と遮光筒９の外周面及び外側遮光筒１２の内周面に囲まれた空間２６が連通している。そのため、吸引部１５の吸引時に、遮光筒９の内周面に囲まれた空間２７内の空気が空気抜き孔１７を介して遮光筒９の外周面と外側遮光筒１２の内周面に囲まれた空間２６内の空気と共に吸引されて両空間２６，２７外へ放出されており、吸引部１５により上記二つの空間２６，２７が共に負圧となる。
【００４５】
つまり、吸引部１５が外側遮光筒１２と遮光筒９の間の皮膚３０に加え、遮光筒９の内周側に位置した皮膚３０も本体１側に引き込むため、遮光筒９の当接部１１の内周側と皮膚３０の密着性が向上して、より光漏れを防止することができる。そして、皮膚３０の遮光筒９の内側に位置した部位は本体１側に引き込まれるため、毛穴等が開くと共に、当接部１１に当接した部位より本体１側に突出して光源８に近づき、照射光をより得易くなり、光照射による肌ケア効果を向上することができる。
【００４６】
なお、空気抜き孔１７は遮光筒９の周面に限らず、吸引部１５により上記空間２６，２７内の空気を吸引可能であれば底部１０にＬ字形状で設けてもよい。特に、内外の開口位置をずらすあるいは孔路内が途中で屈曲する等の光源８の発した光が遮光筒９の外周に透過しない形状で形成されていることが好ましい。もちろん、空気抜き孔１７を形成せずに、複数の吸引部１５で上記二つの空間２６，２７を夫々負圧にしてもよい。
【００４７】
また、上記空気抜き孔１７を有した例に、図４に示すように、光源８の光を集光させる集光レンズ１８を設けて、光源８の光を皮膚３０の遮光筒９に当接する部位より内側の部位にのみ照射させて、光漏れをより防止してもよい。詳しくは、遮光筒９の内周に集光レンズ１８が配置されている。そして、光源８の発した光は上記集光レンズ１８に導光されることで、遮光筒９の内周より小径の円形状に集光されて放出されている。
【００４８】
つまり、集光レンズ１８から放出された光は遮光筒９に当たらずに皮膚３０へ照射されており、遮光筒９の当接部１１と皮膚３０の間から光漏れが生じることを確実に防止することができる。なお、上記図４の例では集光レンズ１８が空気を透過するものとしているが、集光レンズ１８が空気を透過しないものであれば、空気抜き孔１７を集光レンズ１８より遮光筒９の当接部１１側に近い位置に配置して皮膚３０を吸引するものとなる。そして、図４では集光レンズ１８を凸レンズ形状としているが、光源８の光を遮光筒９に当たらないよう集光して皮膚３０に照射可能なものであれば、凹レンズ形状や凹レンズと凸レンズを組合せた形状等であってもよい。
【００４９】
また、更に他例として、図５に示すように、遮光筒９と外側遮光筒１２を本体１に対してフロート自在で保持して、遮光筒９の当接部１１及び外側遮光筒１２の当接部１３を皮膚３０に弾性接触させて密着性を向上させたものもある。
【００５０】
外側遮光筒１２が本体１側の端部６に底部１９を有しており、本体１の端部６と外側遮光筒１２の底部１９との間に圧縮ばね等の第１弾性体２１が配置されており、該第１弾性体２１により外側遮光筒１２が上記端部６から押圧方向Ｐに付勢されている。そして、外側遮光筒１２の外周は本体１の外周に沿って端部６から延設された延設壁２０に覆われており、延設壁２０の内周面に設けたスライドガイド（特に図示しない）により押圧方向Ｐの前後にスライド移動するものとなっている。
【００５１】
つまり、外側遮光筒１２は本体１の端部６にフロート自在で保持されており、当接部１３を皮膚３０に当接して押圧方向Ｐに押し付けると、延設壁２０の壁面に沿ってスライドして上記端部６側に沈み込むものである。このとき、沈み込んだ外側遮光筒１２の当接部１３は延設壁２０の先端部より押圧方向Ｐに突出しており、延設壁２０の先端部が皮膚３０に接触しないものとなっている。
【００５２】
そして、遮光筒９は外側遮光筒１２の内周面に設けたスライドガイド（特に図示しない）により押圧方向Ｐの前後にスライド移動でき、且つ遮光筒９の底部１０と外側遮光筒１２の底部１９の間を広げる向きに付勢する圧縮ばね等の第２弾性体２２が上記二つの底部１０，１９の間に配置されている。つまり、遮光筒９は外側遮光筒１２にフロート自在で保持されており、外側遮光筒１２が本体１にフロート自在で保持されているため、遮光筒９も外側遮光筒１２を介して本体１にフロート自在である。
【００５３】
また、第２弾性体２２は第１弾性体２１より小さい力で抗するものであり、遮光筒９の当接部１１を皮膚３０に押し付けると、第１弾性体２１は縮まずに第２弾性体２２のみが縮み、遮光筒９が外側遮光筒１２の底部１９側に後退して外側遮光筒１２の内側の空間２６内に沈み込む。上記第２弾性体２２が一定量圧縮されると、遮光筒９の当接部１１と外側遮光筒１２の当接部１３の本体１からの突出高さが略等しくなり、外側遮光筒１２の当接部１３が皮膚３０に当接する。このとき、制御回路３は外側遮光筒１２と遮光筒９の夫々接触センサ１４が皮膚３０の当接を検知するため、制御回路３により吸引部１５の吸引を開始される。
【００５４】
そして、皮膚３０に当接した上記二つの当接部１１，１３を押圧方向Ｐに押し付けることで、第１弾性体２１も縮み外側遮光筒１２及び遮光筒９が共に本体１側に沈み込む。このとき、遮光筒９の底部１０の本体１側の面に設けた押圧突起２３が本体１の端部６に設けた発光スイッチ２４を押圧して、発光スイッチ２４に制御回路３へ発光許可信号を出力させる。
【００５５】
上記発光許可信号を受けた制御回路３は各当接部１１，１３と皮膚３０が密着したと判断して、照射スイッチ５の操作による光源８の発光を許可し、照射スイッチ５が操作されると光源８が発光して光照射を行われる。更に、当接部１１，１３の皮膚３０への押込みが緩むと、前記発光スイッチ２４の押圧が解かれるため、制御回路３への発光許可信号が途絶えるものである。つまり、当接部１１，１３が皮膚３０に弾性的に接触して密着した状態でのみ、光源８を発光させて光照射を行うことができるものである。
【００５６】
また、外側遮光筒１２の底部１９の上記押圧突起２３が摺動自在で挿通された貫通孔２５には、パッキンやＯリング等の空気漏れ防止用の密閉部材が配置されており、上記貫通孔２５内を空気が流通しないものとなっている。そのため、上記貫通孔２５を介して遮光筒９の外周面と外側遮光筒１２の内周面及び底部１９に囲まれた空間２６内に外部から空気が入ること防止しており、吸引部１５による吸引を押圧突起２３の貫通孔２５内の摺動が阻害しないものとなっている。
【００５７】
このように、遮光筒９及び外側遮光筒１２を本体１に対してフロート自在としたことで、各当接部１１，１３が皮膚３０に対してより滑らかに弾性接触できて、当接部１１，１３を皮膚３０へ容易に密着させることができて、光漏れに対する安全性及び使い勝手が向上している。なお、遮光筒９が直接本体１にフロート自在で保持されたものや、遮光筒９の底部１０が外側遮光筒１２の底部１９に固定されて且つ外側遮光筒１２が本体１にフロート自在で保持されたものであってもよい。ましてや、上記延設壁２０が第２の外側遮光筒を兼ねて三重に光源８の光を遮断してもよい。
【符号の説明】
【００５８】
１  本体
７  照射部
８  光源
９  遮光筒
１１  （遮光筒の）当接部
１２  外側遮光筒
１３  （外側遮光筒の）当接部
１４  接触センサ
１５  吸引部
１６  光量センサ
１７  空気抜き孔
１８  集光レンズ
３０  皮膚
Ｐ  押圧方向
【図１】
2011067456.tif 000003
【図２】
2011067456.tif 000004
【図３】
2011067456.tif 000005
【図４】
2011067456.tif 000006
【図５】
2011067456.tif 000007